(57)【要約】【課題】ハンガー引戸の外観を損ねることなく、その開閉に伴う引戸下端及び引戸大手部の損傷を防止するようにしたハンガー引戸、ハンガー引戸の底部構造及びハンガー引戸用ストッパーを提供する。【解決手段】底部に走行方向に形成した溝を備え、該溝が床面等に設けた走行ガイド用突起部材と係合するようにしたハンガー引戸において、上記溝の端部に上記突起部材と当接可能に、当接する直線部と該直線部の両端から上記溝に沿って延長する脚部とを含むことを特徴とするコ字形の平板状ストッパーを設けた。【選択図】　　図４
2004107980.tif 000002
【特許請求の範囲】
【請求項１】
底部に走行方向に形成した溝を備え、該溝が床面に設けた突起部材と係合するようにしたハンガー引戸において、上記溝の端部に上記突起部材と当接可能にストッパーを設けたことを特徴とするハンガー引戸。
【請求項２】
走行方向に形成した溝を備え、該溝が床面に設けた突起部材と係合するようにしたハンガー引戸の底部構造において、上記溝の端部に上記突起部材と当接可能にストッパーを設けたことを特徴とするハンガー引戸の底部構造。
【請求項３】
上記ストッパーが、コ字形の平板状プラスチック製部品であり、上記突起部材と当接する直線部と該直線部の両端から上記溝に沿って延長する脚部とを含むことを特徴とする請求項１のハンガー引戸又は請求項２のハンガー引戸の底部構造。
【請求項４】
上記ストッパーが、コ字形の平板状金属製部品であり、上記突起部材と当接する直線部と該直線部の両端から上記溝に沿って延長する脚部とを含むことを特徴とする請求項１のハンガー引戸又は請求項２のハンガー引戸の底部構造。
【請求項５】
請求項１のハンガー引戸又は請求項２のハンガー引戸の底部構造に用いることのできるハンガー引戸用ストッパーであって、コ字形の平板状プラスチック製部品であり、上記突起部材と当接する直線部と該直線部の両端から上記溝に沿って延長する脚部とを含むことを特徴とするハンガー引戸用ストッパー。
【請求項６】
請求項１のハンガー引戸又は請求項２のハンガー引戸の底部構造に用いることのできるハンガー引戸用ストッパーであって、コ字形の平板状金属製部品であり、上記突起部材と当接する直線部と該直線部の両端から上記溝に沿って延長する脚部とを含むことを特徴とするハンガー引戸用ストッパー。
【発明の詳細な説明】
【０００１】
【発明の属する技術分野】
本発明は、ハンガー引戸、ハンガー引戸の底部構造及びハンガー引戸用ストッパーに関する。
【０００２】
【従来の技術】
近年、一般住宅においては、狭いスペースを有効に活かして居住するために、開き扉よりも引戸が使用される傾向が強くなっている。
ここで、下端に設けた戸車で動かす引戸がある。ところが、このような引戸は、例えば、マンションであれば、下の階にその動きに伴う振動音が固体音として伝播するといった難点があった。このため、いわゆる上吊式の引戸（本明細書中、一般に、ハンガー引戸という）が多用されるに至っている。
【０００３】
もっとも、このようなハンガー引戸でも、横ぶれを防ぐための方策が必要である。そのために、床面に長いレールを設けることもできる。しかし、いわゆるバリアフリーの観点からこのような長いレールを設けることは好ましくない。そこで、ハンガー引戸の底部にその走行方向に溝を形成し、かつ床面に対応する突起部材（振れ止め部材）を設ける構造が採用されている。この構造では、溝に突起部材を入り込ませることによってハンガー引戸の横ぶれを防いでいる。
【０００４】
しかしながら、この構造では、ハンガー引戸の溝の端部が損傷するという欠点があった。
このことを従来の片引きハンガー引戸について説明する。
図５（ａ），（ｂ）に引残しがついた片引きハンガー引戸５１を示す。図５の（ａ）に示すように、ハンガー引戸５１は中帆立５５より手先が出ているために、引戸底部の溝５２は、引戸の大手５６（図中右手端部）に向けて延在できる。
この場合は、ハンガー引戸５１を開けたとき、有効開口寸法５７は、図示のとおり、枠開口寸法５８より引残し寸法５９を引いた広さしか有効開口寸法５７を取れないという欠点がある。
これに対し、図６（ａ），（ｂ）に示す引残し無しのハンガー引戸５１の場合、枠開口寸法５８と有効開口寸法５７は等しくなる。
ただし、この場合は、引戸５１の寸法を６０とすると、引戸５１を閉めたとき［図６（ｂ）］の中帆立５５に対する「扉のかぶり寸法」は、図中６１となり、引戸５１を開けたときの突起５４と大手５６とは、隙間６２の距離をわずかに残すのみとなる。
現在一般に用いられている枠の寸法は、縱枠６３、中帆立５５とも２５ｍｍが標準である。この条件では、突起５４と大手５６の隙間６２は、１５ｍｍが上限となる。
この隙間６２の距離を超えてハンガー引戸５１が移動した場合、突起５４がハンガー引戸５１の大手部５６を突き破り、引戸５１の下部に傷を負わせることになる。
【０００５】
このための対策として、図７に示すように、ハンガー引戸５１の溝５２の端をハンガー引戸５１の端部まで延長してしまうといったことも行われている。これによって、突起部材５３の突起５４が端部を損傷することを防止することも行われていた。しかし、これでは、ハンガー引戸の下端に溝の端が現れてしまい、外観上好ましくなかった。
【０００６】
【発明が解決しようとする課題】
本発明は上記事情に対してなされたもので、ハンガー引戸の外観を損ねることなく、その開閉に伴う下端の損傷を防止するようにしたハンガー引戸、ハンガー引戸の底部構造及びハンガー引戸用ストッパーを提供することを目的とする。
【０００７】
【課題を解決するための手段】
上記目的を達成するために、本発明に係るハンガー引戸は、底部に走行方向に形成した溝を備え、該溝が床面に設けた突起部材と係合するようにしたハンガー引戸において、上記溝の端部に上記突起部材と当接可能にストッパーを設けたことを特徴とする。
また、本発明は、別の形態として、走行方向に形成した溝を備え、該溝が床面に設けた突起部材と係合するようにしたハンガー引戸の底部構造であり、該底部構造において、上記溝の端部に上記突起部材と当接可能にストッパーを設けたことを特徴とする。
【０００８】
上記ハンガー引戸又はハンガー引戸の底部構造では、上記ストッパーが、コ字形の平板状プラスチック製部品又は平板状金属製部品であり、上記突起部材と当接する直線部と該直線部の両端から上記溝に沿って延長する脚部とを含むことが好ましい。
【０００９】
さらに、本発明は、さらに別の形態として、上記ハンガー引戸又はハンガー引戸の底部構造に用いることのできるハンガー引戸用ストッパーであり、該ハンガー引戸用ストッパーは、コ字形の平板状プラスチック製部品又は平板状金属製部品であり、上記突起部材と当接する直線部と該直線部の両端から上記溝に沿って延長する脚部とを含むことが好ましい。
【００１０】
本発明の適用の適用対象となる「ハンガー引戸」は、一般的には、木製である。しかし、他の同等の材質を備えるものであれば、本発明の目的に反しない限りこれに限定されるものではない。
また、本明細書中、「突起部材」は、本発明の目的に反しない限り、従来用いられている揺れ止め部材を全て含むものである。すなわち、ＮＳＤ−４０２（　（株）高橋金物社製）、といった断面Ｌ字形の金属製部材、ＳＤ‐４００，ＮＳＤ−４００（（株）高橋金物社製）といった突条の部材が含まれる。
【００１１】
【発明の実施の形態】
以下に添付図面に示した実施の形態を参照しながら、本発明に係るハンガー引戸、ハンガー引戸の底部構造及びハンガー引戸用ストッパーをさらに詳細に説明する。
【００１２】
図１に、本発明の適用の対象となるハンガー引戸のうち、観音開きのタイプ（引分タイプ）について一実施の形態を示す。
このハンガー引戸１は、上部レール２と引戸本体３，４をその主要な構成要素として含む。引戸本体３，４は、図１では、上部レール２と説明の便宜上、離間して描かれている。
【００１３】
引戸本体３，４は、図示しない吊車を上部に適宜の数備えている。その設置方法及び構造は、当業者に公知のものを採用することができる。本発明の要旨とは直接関係がないのでその説明を省略する。
このような吊車によって、引戸本体３，４は、上部レール２に吊り下げ支持される。これによって、円滑に図中矢印Ａ，Ｂで示すように左右に走行し開閉できるように構成されている。
【００１４】
図１には示されていないが、引戸本体３，４の底部には、図５の従来の溝５２と同様の溝が走行方向に形成されている。この溝は、床上の設置位置５，６に設けた突起部材（振れ止め部材）と係合する。すなわち、図２に示すような突起部材２１が床面に設置され、その突起２２が、図５の突起５４と同様に、引戸本体３，４の溝に係合する。
このように突起２２が上記溝に係合することにより、引戸本体３，４が開閉のために走行した際、その横ぶれが防止される。
なお、突起部材は、図２のようなものに限られず、図３のような断面Ｌ字形の部材３１でも良い。上方に向かう部分３２が、溝と係合する突起を構成する。このような部材３１は、比較的薄い引戸に好適である。
【００１５】
上記図１の引戸本体３，４の底部構造について、本発明を実施した一形態を図４に示す。図は、引戸本体３，４を底部側から見たものである。
この実施の形態では、図に示すように、突起２２と係合する溝７の端部にストッパー８を設けている。このストッパー８は、コ字形の平板状プラスチック製部品である。プラスチックとしては、弾性を備えたものが好適である。
ストッパー８は、直線部９と脚１０，１１とを含む。
直線部９は、突起２２と当接可能な部分である。すなわち、引戸本体３，４を勢いあまって走行させ過ぎた際に突起２２と衝突する部分である。
【００１６】
脚部１０，１１は、直線部９の両端から溝７に沿って延長する部分である。この部分は、ストッパー８を引戸本体３，４の底部に強固に固定するためのものである。直線部９のみで十分な固定を行うことができる場合には省略できる。
なお、ストッパー８は、一般的に、複数のネジ１２によって、引戸本体３，４の底部に固定されるが、接着剤等他の手段によって固定することも可能である。加えて、このストッパー８は、引き戸底部に直付けで固定できるが、床との隙間の関係で、引戸底部に掘り込むこともできる。
また、この図４の構造は、引戸本体３，４の両端の底部に設けることが一般的である。
【００１７】
上記構造を備えた本実施の形態に係るハンガー引戸１では、引戸本体３，４を矢印Ａ，Ｂの方向に走行させた際、勢いあまっても、溝７の端部をストッパー８が保護し、引戸本体３，４が損傷することはない。また、引戸本体３，４の動きを確実に止めるので、それ自体が外れるといったことも防止できる。さらに、ストッパー８自体を弾性のプラスチックで構成しているので、突起２２とストッパー８が衝突した際の衝撃音も軽減される。
【００１８】
他の実施の形態
本発明に係るハンガー引戸、ハンガー引戸の底部構造及びハンガー引戸用ストッパーは、上記の実施の形態について説明したが、本発明は、このような実施の形態に限定されるものではなく、当業者にとって自明な修飾・変更・付加は、全て本発明の技術的範囲に含まれる。
例えば、引き違い戸、連動戸であっても、本発明を実施することができる。
特に、連動扉においては、１本目の扉が２本目以降を引きつれて移動せねばならず、引戸ガイド周辺には大きな力がかかる。このような場合に、特に本発明のストッパー部材は有効な手段となる。
なお、連動引戸においては、振れ止め突起部材は、床に固定された物ではなく、連動する扉の下部、壁面、扉側面等に固定され、その金物の一部が他の扉の下部の溝と係合する形態を取る。
上記実施の形態では、ストッパーをプラスチック製としたが、条件によって金属製とすることもできる。
【００１９】
【発明の効果】
上記したところから明らかなように、本発明によれば、ハンガー引戸の外観を損ねることなく、その開閉に伴う下端の損傷を防止するようにしたハンガー引戸、ハンガー引戸の底部構造及びハンガー引戸用ストッパーが提供される。
【図面の簡単な説明】
【図１】本発明の適用の対象となるハンガー引戸のうち、観音開きのタイプの一実施の形態を説明する斜視図である。
【図２】突起部材の一実施の形態を説明する斜視図である。
【図３】突起部材の他の実施の形態を説明する斜視図である。
【図４】本発明に係るハンガー引戸の底部構造の一実施の形態を説明する斜視図である。
【図５】従来のハンガー引戸を説明する平面図である。
【図６】従来のハンガー引戸の別の形態を説明する平面図である。
【図７】従来のハンガー引戸の底部構造を説明する斜視図である。
【符号の説明】
１　　　　　　ハンガー引戸
２　　　　　　上部レール
３，４　引戸本体
５，６　設置位置
７　　　　　　溝
８　　　　　　ストッパー
９　　　　　　直線部
１０，１１　　脚部
１２　　　　　ビス
２１，３１　　突起部材
２２，３２　　突起
５１　　　　　ハンガー引戸
５２　　　　　溝
５３　　　　　突起部材
５４　　　　　突起
５５　　　　　中帆立
５６　　　　　引戸
５７　　　　　有効開口寸法
５８　　　　　枠開口寸法
５９　　　　　引残し寸法
６０　　　　　扉寸法
６１　　　　　かぶり寸法
６２　　　　　隙間
【図１】
2004107980.tif 000003
【図２】
2004107980.tif 000004
【図３】
2004107980.tif 000005
【図４】
2004107980.tif 000006
【図５】
2004107980.tif 000007
【図６】
2004107980.tif 000008
【図７】
2004107980.tif 000009